(57)【特許請求の範囲】
【請求項１】
少なくとも一方のパネルＡに取付けられて他方のパネルＢに相対する矯正用プレートと、
矯正用プレートのパネルＢに相対する部分に取付けられてパネルＢを押し／引きする押し／引き手段とを有してなるパネルの段差矯正具であって、
前記矯正用プレートがパネルＡに対応するばか孔とねじ孔を備えるとともに、パネルＢに対応するばか孔とねじ孔を備え、
矯正用プレートがそれらの両ばか孔を両パネルＡ、Ｂのそれぞれに固定された座板付き螺子棒に挿通されて両パネルＡ、Ｂに取付けられ、
押し／引き手段が、上記座板付き螺子棒の矯正用プレートに備えた両ばか孔から突出する部分に螺着される２個のナットと、矯正用プレートの両ねじ孔に螺着されて上記座板付き螺子棒の座板部分に押接する２個のボルトとからなるパネルの段差矯正具。
【請求項２】
少なくとも一方のパネルＡに取付けられて他方のパネルＢに相対する矯正用プレートと、
矯正用プレートのパネルＢに相対する部分に取付けられてパネルＢを押し／引きする押し／引き手段とを有してなるパネルの段差矯正具であって、
前記矯正用プレートがパネルＡに固定される固定部を備えてパネルＡに取付けられるとともに、パネルＢに対応するばか孔とねじ孔を備え、
押し／引き手段が、パネルＢに固定された座板付き螺子棒の矯正用プレートに備えたばか孔から突出する部分に螺着されるナットと、矯正用プレートのねじ孔に螺着されて上記座板付き螺子棒の座板部分に押接するボルトとからなるパネルの段差矯正具。
【発明の詳細な説明】
【技術分野】
【０００１】
本発明は、隣接するパネル（壁パネル、床パネル、屋根パネル等）の間の段差矯正具に関する。
【背景技術】
【０００２】
従来、工場生産化率を高めたユニット建物では、枠組を構成するスタッドに面材を張設した床及び壁パネルからなる建物ユニットを工場で生産し、この建物ユニットの複数を建築現場で上下左右に隣接配置し、隣接配置された建物ユニットの壁パネル同士、床パネル同士を接合している。
【０００３】
このとき、隣接配置された建物ユニットの壁パネル等の間に段差が生じた場合、それらの壁パネル等の段差をそれらの接合前に矯正しなければならない。
【０００４】
特許文献１に記載の段差矯正具は、軸部材と、軸部材の一端に交差して固定された固定部材と、軸部の中間部に軸部と交差しつつ軸部の長手方向に移動可能な可動部材と、可動部材を固定部材の方向に押圧する押圧手段とを有し、押圧手段が軸部材に設けられた雄螺子部に螺合した把手付き締付部材からなるようにしたものである。相隣るパネルの間に軸部材を通し、固定部材と可動部材を両パネルの外側面と内側面のそれぞれに当接し、締付部材の回転によって固定部材と可動部材との間隙を狭め、これによりパネル間の段差を矯正するものである。
【０００５】
特許文献２に記載の段差矯正具は、設置時に段差が生じている１対の建築用パネルの一方の突出しているパネルに吸着する第１の吸着手段と、この吸着手段が吸着していない他のパネルに吸着し、このパネルを段差が解消するように引寄せる第２の吸着手段と、この第１の吸着手段と第２の吸着手段との間に配置され、第２の吸着手段がパネルを引寄せる際に支点となる支持手段と、第１の吸着手段、第２の吸着手段及び支持手段とを一体に保持する保持手段とを有し、第２の吸着手段が段差を解消するためにパネルに吸着し、かつパネルを引寄せることができるようにパネルに対して垂直方向に移動操作可能であるようにしたものである。支持手段の接触支持板を一方のパネルの端部から若干他のパネル側に突出するように設け、第２の吸着手段により他のパネルを引寄せるとき、このパネルが接触支持板に引っ掛かるまで引寄せられることにより、両パネル間の段差を矯正するものである。
【先行技術文献】
【特許文献】
【０００６】
【特許文献１】特開2000-265671
【特許文献２】特開平5-202617
【発明の概要】
【発明が解決しようとする課題】
【０００７】
特許文献１に記載の段差矯正具は、相隣るパネルの外側面と内側面の両面に固定部材と可動部材を当接させることにより、両パネル間の段差を矯正する。
【０００８】
従って、特許文献１に記載の段差矯正具は、それらのパネルの両面が化粧を施されている場合には、固定部材又は可動部材による化粧のキズ付きを防ぐ観点から適用できない。それらのパネルの両面を化粧不要又は未化粧とするときでなければ、適用できない。
【０００９】
特許文献２に記載の段差矯正具は、一方のパネルに対して他のパネルを引寄せるとき、一方のパネルの端部から若干他のパネル側に突出している支持手段の接触支持板に他のパネルが引っ掛かるまで引寄せることにより、両パネル間の段差を矯正する。
【００１０】
従って、特許文献２に記載の段差矯正具は、相隣るパネルの一方の基準パネルに対し、他のパネルが凹み状に湾曲している場合に、当該他のパネルを基準パネルと面一をなす位置まで引寄せる場合に、適用できる。ところが、一方の基準パネルに対し、他のパネルが凸状に出っ張って湾曲している場合には、当該他のパネルを基準パネルと面一をなす位置まで押し込む必要があり、特許文献２に記載の段差矯正具は適用できない。
【００１１】
本発明の課題は、段差矯正具において、相隣るパネルの両面のうちのいずれか一方の面には非接触としながら、一方の基準パネルに対し他のパネルを押し、引きの双方向で位置調整し得るようにすることにある。
【課題を解決するための手段】
【００１３】
請求項１に係る発明は、少なくとも一方のパネルＡに取付けられて他方のパネルＢに相対する矯正用プレートと、矯正用プレートのパネルＢに相対する部分に取付けられてパネルＢを押し／引きする押し／引き手段とを有してなるパネルの段差矯正具であって、前記矯正用プレートがパネルＡに対応するばか孔とねじ孔を備えるとともに、パネルＢに対応するばか孔とねじ孔を備え、矯正用プレートがそれらの両ばか孔を両パネルＡ、Ｂのそれぞれに固定された座板付き螺子棒に挿通されて両パネルＡ、Ｂに取付けられ、押し／引き手段が、上記座板付き螺子棒の矯正用プレートに備えた両ばか孔から突出する部分に螺着される２個のナットと、矯正用プレートの両ねじ孔に螺着されて上記座板付き螺子棒の座板部分に押接する２個のボルトとからなるようにしたものである。
【００１４】
請求項２に係る発明は、少なくとも一方のパネルＡに取付けられて他方のパネルＢに相対する矯正用プレートと、矯正用プレートのパネルＢに相対する部分に取付けられてパネルＢを押し／引きする押し／引き手段とを有してなるパネルの段差矯正具であって、前記矯正用プレートがパネルＡに固定される固定部を備えてパネルＡに取付けられるとともに、パネルＢに対応するばか孔とねじ孔を備え、押し／引き手段が、パネルＢに固定された座板付き螺子棒の矯正用プレートに備えたばか孔から突出する部分に螺着されるナットと、矯正用プレートのねじ孔に螺着されて上記座板付き螺子棒の座板部分に押接するボルトとからなるようにしたものである。
【発明の効果】
【００１６】
（請求項１、２）
(a)少なくとも一方のパネルＡに取付けられて他方のパネルＢに相対する矯正用プレートと、矯正用プレートのパネルＢに相対する部分に取付けられてパネルＢを押し／引きする押し／引き手段とを有する。
【００１７】
従って、相隣るパネルＡ、Ｂのそれぞれに対し、パネルＡの外側面と内側面の両面のうちの一面にだけ矯正用プレートを取付けるとともに、パネルＢの両面のうちの一面にだけ押し／引き手段を取付ける。そして、パネルＡを基準パネルとし、この基準パネルＡに取付けられる矯正用プレートを介して、この矯正用プレートに取付けられる押し／引き手段によりパネルＢを押し／引きし、両パネルＡ、Ｂ間の段差を矯正するものになる。
【００１８】
従って、段差矯正具において、相隣るパネルの両面のうちのいずれか一方の面には非接触としながら、一方の基準パネルに対し他のパネルを押し、引きの双方向で位置調整し得る。
【００１９】
（請求項１）
(b)基準パネルＡに対し他のパネルＢが凹み状に湾曲している場合には、基準パネルＡに固定された座板付き螺子棒に矯正用プレートのばか孔を通し、該座板付き螺子棒の矯正用プレートのばか孔から突出する部分にナットを螺着し、該矯正用プレートを座板付き螺子棒の座板との間に挟んで基準パネルＡに固定する。
【００２０】
そして、パネルＢに固定された座板付き螺子棒に矯正用プレートのばか孔を通し、該座板付き螺子棒の矯正用プレートのばか孔から突出する部分に押し／引き手段の引き操作子となるナットを螺着し、このナットを矯正用プレートに対して締め込む。これにより、パネルＢを基準パネルＡと面一をなす位置まで引寄せ、両パネルＡ、Ｂ間の段差を矯正できる。
【００２１】
(c)基準パネルＡに対し他のパネルＢが凸状に出っ張って湾曲している場合には、基準パネルＡに固定された座板付き螺子棒に矯正用プレートのばか孔を通し、この座板付き螺子棒の矯正用プレートのばか孔から突出する部分にナットを螺着するとともに、この矯正用プレートの基準パネルＡに対応するねじ孔に螺着されるボルトの先端を座板付き螺子棒の座板に押接することにより、該矯正用プレートを座板付き螺子棒の座板から浮かせた状態で基準パネルＡに固定する。
【００２２】
そして、矯正用プレートのパネルＢに対応するねじ孔に押し／引き手段の押し操作子となるボルトを螺着し、このボルトの先端をパネルＢに固定された座板付き螺子棒の座板に押接する。これにより、パネルＢを基準パネルＡと面一をなす位置まで押込み、両パネルＡ、Ｂ間の段差を矯正できる。
【００２３】
（請求項２）
(d)基準パネルＡに矯正用プレートの固定部が固定されて取付けられる。
そして、パネルＢに固定された座板付き螺子棒の矯正用プレートのばか孔から突出する部分に押し／引き手段の引き操作子となるナットが螺着される。
【００２４】
また、押し／引き手段の押し操作子となるボルトが矯正用プレートのねじ孔に螺着される。
【００２５】
従って、基準パネルＡに対し他のパネルＢが凹み状に湾曲している場合には、押し／引き手段の引き操作子となる上述のナットを矯正用プレート上で座板付き螺子棒に対して締め込む。これにより、パネルＢを基準パネルＡと面一をなす位置まで引寄せ、両パネルＡ、Ｂ間の段差を矯正できる。
【００２６】
他方、基準パネルＡに対し他のパネルＢが凸状に湾曲している場合には、押し／引き手段の押し操作子となる上述のボルトの先端をパネルＢに固定された座板付き螺子棒の座板に押接する。これにより、パネルＢを基準パネルＡと面一をなす位置まで押し込み、両パネルＡ、Ｂ間の段差を矯正できる。
【図面の簡単な説明】
【００３０】
【図１】図１は基準パネルＡに対し他のパネルＢが凹み状段差をなしている例を示す模式図である。
【図２】図２は基準パネルＡに対し他のパネルＢが凸状段差をなしている例を示す模式図である。
【図３】図３は実施例１の段差矯正具を示す模式図である。
【図４】図４は実施例１の段差矯正具を示す斜視図である。
【図５】図５は矯正用プレートを示す模式図である。
【図６】図６は座板付き螺子棒を示す模式図である。
【図７】図７は座板付き螺子棒に螺着されるナットを示す模式図である。
【図８】図８は矯正用プレートに螺着されるボルトを示す模式図である。
【図９】図９は凹み状段差の矯正手順を示す模式図である。
【図１０】図１０は凸状段差の矯正手順を示す模式図である。
【図１１】図１１は実施例２の段差矯正具を示す模式図である。
【図１２】図１２は実施例２の段差矯正具を示す斜視図である。
【図１３】図１３は矯正用プレートを示す模式図である。
【図１４】図１４は座板付き螺子棒を示す模式図である。
【図１５】図１５は矯正用プレートを示す模式図である。
【図１６】図１６は参考例１の段差矯正具を示す模式図である。
【図１７】図１７は参考例１の段差矯正具を示す斜視図である。
【図１８】図１８は矯正用プレートを示す模式図である。
【図１９】図１９はアジャスタボルトと連結部材を示す模式図である。
【図２０】図２０は参考例２の段差矯正具を示す模式図である。
【図２１】図２１は矯正用プレートを示す模式図である。
【発明を実施するための形態】
【００３１】
本発明は、ユニット建物の構築に際し、工場生産された複数の建物ユニットを建築現場に輸送して隣接配置し、相隣る建物ユニットの壁パネル同士（床パネル同士等でも可）のパネルＡ、Ｂ同士を接合するに際し、それらの相隣るパネルＡ、Ｂの間に生じた図１、図２に示す如くの段差（不陸）をそれらの接合前に矯正する段差矯正具１０、１００、２００、３００に関する。
【００３２】
パネルＡ、Ｂは、図１〜図４に示す如く、枠組１を構成するスタッド１Ａの外側（図３等に「外」として示す）と内側（図３等に「内」として示す）の両面に面材２、３を張設して製作される。図３、図４の例では、パネルＡ、Ｂの接合境界部で、パネルＡ、Ｂにおけるスタッド１Ａの外側の全面を面材２が張設された化粧済とし、パネルＡ、Ｂにおけるスタッド１Ａの内側の一部を面材３が未だ張設されない未化粧としている。パネルＡ、Ｂの上述の未化粧部分では、面材３が現地施工でパネルＡからパネルＢに渡り貼りされるものになる。
【００３３】
尚、図１に示したパネルＡ、Ｂの段差δ1は、スタッド１Ａが湾曲していないパネルＡを基準パネルＡとするとき、基準パネルＡに対し他のパネルＢのスタッド１Ａが凹み状に湾曲している場合である。
【００３４】
他方、図２に示したパネルＡ、Ｂの段差δ2は、スタッド１Ａが湾曲していないパネルＡを基準パネルＡとするとき、基準パネルＡに対し他のパネルＢのスタッド１Ａが凸状に湾曲している場合である。
【００３５】
以下、段差矯正具１０、１００、２００、３００を用いてパネルＡ、Ｂの間で、図１の凹み状の段差δ1を生ずる場合にはパネルＢを基準パネルＡに対しｆ1方向に引寄せ、図２の凸状の段差δ2を生ずる場合にはパネルＢを基準パネルＡに対しｆ2方向に押し込むことにより、それらの段差δ1、δ2を矯正する手順について説明する。
【００３６】
（実施例１）（図３〜図１０）
実施例１の段差矯正具１０は、図３〜図８に示す如く、両方のパネルＡ、Ｂに取付けられてそれらのパネルＡ、Ｂに相対する矯正用プレート２０と、矯正用プレート２０のパネルＢに相対する部分に取付けられてパネルＢを押し／引きする押し／引き手段４０とを有する。
【００３７】
具体的には、以下の通りである。
矯正用プレート２０は、図５に示す如く、矩形平板からなり、パネルＡに対応するばか孔２１Ａとねじ孔２２Ａを備えるとともに、パネルＢに対応するばか孔２１Ｂとねじ孔２２Ｂを備える。
【００３８】
矯正用プレート２０は、それらの両ばか孔２１Ａ、２１Ｂを、両パネルＡ、Ｂのそれぞれに固定された座板付き螺子棒３０の螺子棒３２に挿通されて両パネルＡ、Ｂに取付けられる。
【００３９】
座板付き螺子棒３０は、図６に示す如く、座板３１に螺子棒３２を立設してなり、座板３１に設けられる孔３３Ａに挿通される木ねじ３３により、両パネルＡ、Ｂの面材３が張設されていない接合境界部で相隣るスタッド１Ａの内側面に固定される。
【００４０】
押し／引き手段４０は、上記座板付き螺子棒３０の矯正用プレート２０に備えた両ばか孔２１Ａ、２１Ｂから突出する螺子棒３２に螺着される２個のナット４１と、矯正用プレート２０の両ねじ孔２２Ａ、２２Ｂに螺着されて上記座板付き螺子棒３０の座板３１に押接する２個のボルト４２とからなる。
【００４１】
以下、段差矯正具１０によるパネルＡ、Ｂの段差矯正手順について説明する。
(A)図１に示した凹み状段差δ1の矯正手順
(1)座板付き螺子棒３０の座板３１を基準パネルＡとパネルＢの相隣るスタッド１Ａの内側面に木ねじ３３で固定する（図９（Ａ））。
【００４２】
(2)基準パネルＡとパネルＢに固定された座板付き螺子棒３０の螺子棒３２に矯正用プレート２０のばか孔２１Ａ、２１Ｂを通し、矯正用プレート２０のばか孔２１Ａから突出する基準パネルＡ側の螺子棒３２にナット４１を螺着する（図９（Ｂ））。
【００４３】
基準パネルＡに固定された座板付き螺子棒３０の螺子棒３２に螺着されたナット４１により、矯正用プレート２０を座板付き螺子棒３０の座板３１との間に挟んでパネルＡに固定する。
【００４４】
(3)パネルＢに固定された座板付き螺子棒３０の螺子棒３２に上述(2)で通してある矯正用プレート２０のばか孔２１Ｂから突出している該螺子棒３２に、押し／引き手段４０の引き操作子となるナット４１を螺着する。パネルＡ、Ｂの段差がなくなるまで、このナット４１を矯正用プレート２０に対して締め込み、パネルＢを基準パネルＡと面一をなす位置まで引寄せる（図９（Ｃ））。
【００４５】
(4)段差が矯正されたパネルＡ、Ｂの相隣るスタッド１Ａの間にスペーサ合板４を挟み、各パネルＡ、Ｂのスタッド１Ａからスペーサ合板４に打ち込む木ねじ５で両側のスタッド１Ａ、１Ａを接合する（図９（Ｄ））。尚、図９（Ｄ）では矯正具１０（矯正用プレート２０、座板付き螺子棒３０、押し／引き手段４０）を不図示としている。
【００４６】
(B)図２に示した凸状段差δ2の矯正手順
(1)座板付き螺子棒３０の座板３１を基準パネルＡとパネルＢの相隣るスタッド１Ａの内側面に木ねじ３３で固定する（図１０（Ａ））。
【００４７】
(2)基準パネルＡとパネルＢに固定された座板付き螺子棒３０の螺子棒３２に矯正用プレート２０のばか孔２１Ａ、２１Ｂを通し、矯正用プレート２０のばか孔２１Ａから突出する基準パネルＡ側の螺子棒３２にナット４１を軽く螺着する（図１０（Ｂ））。
【００４８】
(3)矯正用プレート２０の基準パネルＡ側のねじ孔２２Ａにボルト４２を螺着し、このボルト４２の先端を座板付き螺子棒３０の座板３１に押接することにより、該矯正用プレート２０を座板付き螺子棒３０の座板３１から浮かせた状態で基準パネルＡに固定する（図１０（Ｃ））。
【００４９】
(4)矯正用プレート２０の基準パネルＢ側のねじ孔２２Ｂに押し／引き手段４０の押し操作子となるボルト４２を螺着し、このボルト４２の先端をパネルＢに固定された座板付き螺子棒３０の座板３１に押接し、パネルＢを基準パネルＡと面一をなす位置まで押し込む（図１０（Ｄ））。
【００５０】
(5)段差が矯正されたパネルＡ、Ｂの相隣るスタッド１Ａの間にスペーサ合板４を挟み、各パネルＡ、Ｂのスタッド１Ａからスペーサ合板４に打ち込む木ねじ５で両側のスタッド１Ａ、１Ａを接合する（図１０（Ｅ））。尚、図１０（Ｅ）では矯正具１０（矯正用プレート２０、座板付き螺子棒３０、押し／引き手段４０）を不図示としている。
【００５１】
本実施例によれば以下の作用効果を奏する。
(a)相隣るパネルＡ、Ｂのそれぞれに対し、パネルＡの外側面と内側面の両面のうちの一面にだけ矯正用プレート２０を取付けるとともに、パネルＢの両面のうちの一面にだけ押し／引き手段４０を取付ける。そして、パネルＡを基準パネルとし、この基準パネルＡに取付けられる矯正用プレート２０を介して、この矯正用プレート２０に取付けられる押し／引き手段４０によりパネルＢを押し／引きし、両パネルＡ、Ｂ間の段差を矯正するものになる。
【００５２】
従って、段差矯正具１０において、相隣るパネルＡ、Ｂの両面のうちのいずれか一方の面には非接触としながら、一方の基準パネルＡに対し他のパネルＢを押し、引きの双方向で位置調整し得る。
【００５３】
(b)基準パネルＡに対し他のパネルＢが凹み状に湾曲している場合には、基準パネルＡに固定された座板付き螺子棒３０に矯正用プレート２０のばか孔２１Ａを通し、該座板付き螺子棒３０の矯正用プレート２０のばか孔２１Ａから突出する部分にナット４１を螺着し、該矯正用プレート２０を座板付き螺子棒３０の座板３１との間に挟んで基準パネルＡに固定する。
【００５４】
そして、パネルＢに固定された座板付き螺子棒３０に矯正用プレート２０のばか孔２１Ａを通し、該座板付き螺子棒３０の矯正用プレート２０のばか孔２１Ｂから突出する部分に押し／引き手段４０の引き操作子となるナット４１を螺着し、このナット４１を矯正用プレート２０に対して締め込む。これにより、パネルＢを基準パネルＡと面一をなす位置まで引寄せ、両パネルＡ、Ｂ間の段差を矯正できる。
【００５５】
(c)基準パネルＡに対し他のパネルＢが凸状に出っ張って湾曲している場合には、基準パネルＡに固定された座板付き螺子棒３０に矯正用プレート２０のばか孔２１Ａを通し、この座板付き螺子棒３０の矯正用プレート２０のばか孔２１Ａから突出する部分にナット４１を螺着するとともに、この矯正用プレート２０の基準パネルＡに対応するねじ孔２２Ａに螺着されるボルト４２の先端を座板付き螺子棒３０の座板３１に押接することにより、該矯正用プレート２０を座板付き螺子棒３０の座板３１から浮かせた状態で基準パネルＡに固定する。
【００５６】
そして、矯正用プレート２０のパネルＢに対応するねじ孔２２Ｂに押し／引き手段４０の押し操作子となるボルト４２を螺着し、このボルト４２の先端をパネルＢに固定された座板付き螺子棒３０の座板３１に押接する。これにより、パネルＢを基準パネルＡと面一をなす位置まで押込み、両パネルＡ、Ｂ間の段差を矯正できる。
【００５７】
（実施例２）（図１１〜図１５）
実施例２の段差矯正具１００は、図１１、図１２に示す如く、基準パネルＡに取付けられて他方のパネルＢに相対する矯正用プレート１１０と、矯正用プレート１１０のパネルＢに相対する部分に取付けられてパネルＢを押し／引きする押し／引き手段１３０とを有する。
【００５８】
具体的には、以下の通りである。
矯正用プレート１１０は、図１３に示す如く、プレス加工された板金製Ｚ型プレートからなり、パネルＡに固定される固定部１１１を備えてパネルＡに取付けられるとともに、パネルＢに対応するばか孔１１２とねじ孔１１３を備える。ねじ孔１１３は矯正用プレート１１０に溶接されたナット１１４により形成される。即ち、矯正用プレート１１０は、Ｚ型プレートの一面を固定部１１１とし、この固定部１１１に設けられる孔１１５Ａに挿通される木ねじ１１５により、パネルＡの面材３が張設されていないパネルＢとの接合境界部でスタッド１Ａの内側面に固定される。また、矯正用プレート１１０は、Ｚ型プレートの固定部１１１に対する反対側の面にばか孔１１２とねじ孔１１３を設けている。
【００５９】
パネルＢには座板付き螺子棒１２０が固定される。座板付き螺子棒１２０は、図１４に示す如く、座板１２１に螺子棒１２２を立設してなり、座板１２１に設けられる孔１２３Ａに挿通される木ねじ１２３により、パネルＢの面材３が張設されていないパネルＡとの接合境界部でスタッド１Ａの内側面に固定される。
【００６０】
押し／引き手段１３０は、パネルＢに固定された座板付き螺子棒１２０の矯正用プレート１１０に備えたばか孔１１２から突出する螺子棒１２２に螺着されるナット１３１と、矯正用プレート１１０のねじ孔１１３に螺着されて上記座板付き螺子棒１２０の座板１２１に押接するボルト１３２とからなる。
【００６１】
以下、段差矯正具１００によるパネルＡ、Ｂの段差矯正手順について説明する。
(1)基準パネルＡに矯正用プレート１１０の固定部１１１を固定する。
【００６２】
(2)パネルＢに座板付き螺子棒１２０の座板１２１を固定する。このとき、座板付き螺子棒１２０の螺子棒１２２を上述(1)の如くに基準パネルＡに固定される矯正用プレート１１０のばか孔１１２に通し、このばか孔１１２にから突出する螺子棒１２２に押し／引き手段１３０の引き操作子となるナット１３１を螺着する。
【００６３】
また、押し／引き手段１３０の押し操作子となるボルト１３２が上述(1)の如くに基準パネルＡに固定される矯正用プレート１１０のねじ孔１１３に螺着され、ボルト１３２の先端が座板付き螺子棒１２０の座板１２１に押接するものとされる。
【００６４】
(3)パネルＢが基準パネルＡに対して図１に示した凹み状段差δ1を生じている場合には、押し／引き手段１３０の引き操作子となる上述のナット１３１を、矯正用プレート１１０上で座板付き螺子棒１２０の螺子棒１２２に対して締め込み、パネルＢを基準パネルＡと面一をなす位置まで引寄せる。
【００６５】
(4)パネルＢが基準パネルＡに対して図２に示した凸状凹みδ2を生じている場合には、押し／引き手段１３０の押し操作子となる上述のボルト１３２の先端を、パネルＢに固定された座板付き螺子棒１２０の座板１２１に押接し、パネルＢを基準パネルＡと面一をなす位置まで押し込む。
【００６６】
(5)詳述(3)又は(4)によるパネルＡ、Ｂの段差矯正後、段差が矯正されたパネルＡ、Ｂの相隣るスタッド１Ａの間にスペーサ合板を挟み、各パネルＡ、Ｂのスタッド１Ａからスペーサ合板に打ち込む木ねじで両側のスタッド１Ａ、１Ａを接合する。
【００６７】
尚、矯正用プレート１１０は、図１３に示したプレス加工品に限らず、図１５に示した如くに、長尺板１１０Ａの一端側に短尺板１１０Ｂを溶接し、短尺板１１０Ｂが溶接された側を固定部１１１とするものでも良い。
【００６８】
本実施例によれば以下の作用効果を奏する。
(a)相隣るパネルＡ、Ｂのそれぞれに対し、パネルＡの外側面と内側面の両面のうちの一面にだけ矯正用プレート１１０を取付けるとともに、パネルＢの両面のうちの一面にだけ押し／引き手段１３０を取付ける。そして、パネルＡを基準パネルＡとし、この基準パネルＡに取付けられる矯正用プレート１１０を介して、この矯正用プレート１１０に取付けられる押し／引き手段１３０によりパネルＢを押し／引きし、両パネルＡ、Ｂ間の段差を矯正するものになる。
【００６９】
従って、段差矯正具１００において、相隣るパネルＡ、Ｂの両面のうちのいずれか一方の面には非接触としながら、一方の基準パネルＡに対し他のパネルＢを押し、引きの双方向で位置調整し得る。
【００７０】
(b)基準パネルＡに矯正用プレート１１０の固定部１１１が固定されて取付けられる。
そして、パネルＢに固定された座板付き螺子棒１２０の矯正用プレート１１０のばか孔１１２から突出する部分に押し／引き手段１３０の引き操作子となるナット１３１が螺着される。
【００７１】
また、押し／引き手段１３０の押し操作子となるボルト１３２が矯正用プレート１１０のねじ孔１１３に螺着される。
【００７２】
従って、基準パネルＡに対し他のパネルＢが凹み状に湾曲している場合には、押し／引き手段１３０の引き操作子となる上述のナット１３１を矯正用プレート１１０上で座板付き螺子棒１２０に対して締め込む。これにより、パネルＢを基準パネルＡと面一をなす位置まで引寄せ、両パネルＡ、Ｂ間の段差を矯正できる。
【００７３】
他方、基準パネルＡに対し他のパネルＢが凸状に湾曲している場合には、押し／引き手段１３０の押し操作子となる上述のボルト１３２の先端をパネルＢに固定された座板付き螺子棒１２０の座板１２１に押接する。これにより、パネルＢを基準パネルＡと面一をなす位置まで押し込み、両パネルＡ、Ｂ間の段差を矯正できる。
【００７４】
（参考例１）（図１６〜図１９）
参考例１の段差矯正具２００は、図１６、図１７に示す如く、基準パネルＡに取付けられて他方のパネルＢに相対する矯正用プレート２１０と、矯正用プレート２１０のパネルＢに相対する部分に取付けられてパネルＢを押し／引きする押し／引き手段２２０とを有する。
【００７５】
具体的には、以下の通りである。
矯正用プレート２１０は、図１８に示す如く、プレス加工された板金製Ｚ型プレートからなり、パネルＡに固定される固定部２１１を備えてパネルＡに取付けられるとともに、パネルＢに対応するねじ孔２１２を備える。ねじ孔２１２は矯正用プレート２１０に溶接されたナット２１３により形成される。即ち、矯正用プレート２１０は、Ｚ型プレートの一方の水平面２１１Ａを固定部２１１とし、この固定部２１１に設けられる孔２１４Ａに挿通される木ねじ２１４により、パネルＡの面材３が張設されていないパネルＢとの接合境界部でスタッド１Ａの内側面に固定される。また、矯正用プレート２１０は、Ｚ型プレートの固定部２１１に対する反対側の水平面２１２Ａにねじ孔２１２を設けている。
【００７６】
押し／引き手段２２０は、図１９に示す如く、矯正用プレート２１０のねじ孔２１２（ナット２１３）に螺着されたアジャスタボルト２２１と、パネルＢに固定されてアジャスタボルト２２１の先端が軸方向に係止し、かつ空転可能に連結される連結部材２２２とからなる。連結部材２２２は、木ねじ２２３が挿通される孔２２３Ａを備えてパネルＢに固定される座板２２２Ａと、座板２２２Ａの上面に溶接等により固定されたカップ状体２２２Ｂとからなり、アジャスタボルト２２１の先端をカップ状体２２２Ｂの中央平板部に設けた孔（不図示）に遊挿し、アジャスタボルト２２１の両側に螺着して溶接したナット２２４、２２５が僅かな隙間を介してカップ状体２２２Ｂの上記中央平板部を挟み込むようにしたものである。
【００７７】
段差矯正具２００は、矯正用プレート２１０のねじ孔２１２（ナット２１３）に、押し／引き手段２２０のアジャスタボルト２２１の中間部（アジャスタボルト２２１の頭部２２１Ａと、アジャスタボルト２２１の先端が連結された連結部材２２２との間）を螺着した組立状態で使用に供される。
【００７８】
以下、段差矯正具２００によるパネルＡ、Ｂの段差矯正手順について説明する。
(1)基準パネルＡに矯正用プレート２１０の固定部２１１を固定する。
【００７９】
(2)パネルＢに押し／引き手段２２０の連結部材２２２の座板２２２Ａを固定する。
【００８０】
(3)パネルＢが基準パネルＡに対して図１に示した凹み状段差δ1を生じている場合には、押し／引き手段２２０の引き操作子となるアジャスタボルト２２１を、矯正用プレート２１０のねじ孔２１２に対して一方向回転することにより、このアジャスタボルト２２１の先端に連結されている連結部材２２２を一方向に移動し、パネルＢを基準パネルＡと面一をなす位置まで引寄せる。
【００８１】
(4)パネルＢが基準パネルＡに対して図２に示した凸状凹みδ2を生じている場合には、押し／引き手段２２０の押し操作子となるアジャスタボルト２２１を、矯正用プレート２１０のねじ孔２１２に対して上記と逆方向回転することにより、このアジャスタボルト２２１の先端に連結されている連結部材２２２を上記と逆方向に移動し、パネルＢを基準パネルＡと面一をなす位置まで押し込む。
【００８２】
(5)詳述(3)又は(4)によるパネルＡ、Ｂの段差矯正後、段差が矯正されたパネルＡ、Ｂの相隣るスタッド１Ａの間にスペーサ合板を挟み、各パネルＡ、Ｂのスタッド１Ａからスペーサ合板に打ち込む木ねじで両側のスタッドを接合する。
【００８３】
本参考例によれば以下の作用効果を奏する。
(a)相隣るパネルＡ、Ｂのそれぞれに対し、パネルＡの外側面と内側面の両面のうちの一面にだけ矯正用プレート２１０を取付けるとともに、パネルＢの両面のうちの一面にだけ押し／引き手段２２０を取付ける。そして、パネルＡを基準パネルとし、この基準パネルＡに取付けられる矯正用プレート２１０を介して、この矯正用プレート２１０に取付けられる押し／引き手段２２０によりパネルＢを押し／引きし、両パネルＡ、Ｂ間の段差を矯正するものになる。
【００８４】
従って、段差矯正具２００において、相隣るパネルの両面のうちのいずれか一方の面には非接触としながら、一方の基準パネルに対し他のパネルを押し、引きの双方向で位置調整し得る。
【００８５】
(b)基準パネルＡに矯正用プレート２１０の固定部２１１が固定されて取付けられる。
そして、押し／引き手段２２０の押し操作子及び引き操作子となるアジャスタボルト２２１が、矯正用プレート２１０のねじ孔２１２に螺着されるとともに、このアジャスタボルト２２１の先端がパネルＢに固定されている連結板に軸方向に係止し、かつ空転可能に連結される。
【００８６】
従って、基準パネルＡに対し他のパネルＢが凹み状に湾曲している場合には、押し／引き手段２２０の引き操作子としてのアジャスタボルト２２１を矯正用プレート２１０のねじ孔２１２に対し一方向回転することにより、このアジャスタボルト２２１の先端に連結されている連結部材２２２を介してパネルＢを引寄せる。これにより、パネルＢを基準パネルＡと面一をなす位置まで引寄せ、両パネルＡ、Ｂ間の段差を矯正できる。
【００８７】
他方、基準パネルＡに対し他のパネルＢが凸状に湾曲している場合には、押し／引き手段２２０の押し操作子としてのアジャスタボルト２２１を矯正用プレート２１０のねじ孔２１２に対し上記と逆方向に回転することにより、このアジャスタボルト２２１の先端に連結されている連結部材２２２を介してパネルＢを押し込む。これにより、パネルＢを基準パネルＡと面一をなす位置まで押し込み、両パネルＡ、Ｂ間の段差を矯正できる。
【００８８】
（参考例２）（図２０、図２１）
参考例２の段差矯正具３００が実施例３と異なる点は、段差矯正具２００の矯正用プレート２１０をＬ型プレートからなる矯正プレート３１０に代え、矯正用プレート３１０の垂直面３１１Ａを固定部３１１とし、矯正用プレート３１０の水平面３１２Ａに押し／引き手段２２０のアジャスタボルト２２１が螺着されるねじ孔３１２（ナット３１３）を設けたことにある。
【００８９】
矯正用プレート３１０の固定部３１１が基準パネルＡに直交配置される間仕切壁Ｃの縦枠材６、面材７に木ねじ３１４、ねじ孔３１４Ａを用いてねじ固定される。矯正用プレート３１０の水平面３１２Ａに設けられる押し／引き手段２２０（アジャスタボルト２２１）により、実施例３におけると同様にして、パネルＢを基準パネルＡに対して引寄せ又は押し込み、パネルＡ、Ｂの段差を矯正するものである。
【００９０】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００９１】
本発明によれば、段差矯正具において、相隣るパネルの両面のうちのいずれか一方の面には非接触としながら、一方の基準パネルに対し他のパネルを押し、引きの双方向で位置調整し、両パネル間の段差を矯正できる。
【符号の説明】
【００９２】
Ａ、Ｂ  パネル
１０  段差矯正具
２０  矯正用プレート
２１Ａ、２１Ｂ  ばか孔
２２Ａ、２２Ｂ  ねじ孔
３０  座板付き螺子棒
３１  座板
３２  螺子棒
４０  押し／引き手段
４１  ナット
４２  ボルト
１００  段差矯正具
１１０  矯正用プレート
１１１  固定部
１１２  ばか孔
１１３  ねじ孔
１２０  座板付き螺子棒
１２１  座板
１２２  螺子棒
１３０  押し／引き手段
１３１  ナット
１３２  ボルト
２００  段差矯正具
２１０  矯正用プレート
２１１  固定部
２１２  ねじ孔
２２０  押し／引き手段
２２１  アジャスタボルト
２２２  連結部材
３００  段差矯正具
３１０  矯正用プレート
【図１】
0005685151.tif 000002
【図２】
0005685151.tif 000003
【図３】
0005685151.tif 000004
【図４】
0005685151.tif 000005
【図５】
0005685151.tif 000006
【図６】
0005685151.tif 000007
【図７】
0005685151.tif 000008
【図８】
0005685151.tif 000009
【図９】
0005685151.tif 000010
【図１０】
0005685151.tif 000011
【図１１】
0005685151.tif 000012
【図１２】
0005685151.tif 000013
【図１３】
0005685151.tif 000014
【図１４】
0005685151.tif 000015
【図１５】
0005685151.tif 000016
【図１６】
0005685151.tif 000017
【図１７】
0005685151.tif 000018
【図１８】
0005685151.tif 000019
【図１９】
0005685151.tif 000020
【図２０】
0005685151.tif 000021
【図２１】
0005685151.tif 000022